(57)【要約】      （修正有）【課題】ゴルフの自由傾斜打席の利用提供をする場合の、傾斜打席の理想に近い自然グランド状態を得る為に特に傾斜打席を剛性の高い安定した状態に支持の出来る構造的な打席支持方法を提供する。【解決手段】自由に傾斜可能な打席を求める場合、基本的な条件は平面を構成する為の最低３点以上の不動又は可動の打席を維持する為の支持点を必要とする。前記する通り、自由な傾斜作動の出来る自由傾斜打席のインドア打撃練習場等での設置を考える場合の傾斜打席の設置条件として、打席の高さは３０ｃｍ以内である事が望まれる為に、スムースな作動とプレイヤーが打撃行動時の打席の剛性の高い安定状態を得る為には打席平面を支持する前記３点の各支持点間の距離に比例して安定すると云う物理法則にしたがって打席の外側に左右又は前後に打席を傾斜させる為の張り出した支持金具によって自由傾斜打席を支持する事で安定した打席が実現出来る。【選択図】図１
2009022708.tif 000002
【特許請求の範囲】
【請求項１】
１箇所の定点を中心として自由に傾斜稼動するゴルフの練習用自由傾斜打席に於いて前記打席の安定を維持する為の手段として、前記打席の前記中心定点を通過して直角に交差するライン上の前記打席の少なくとも２ヶ所以上のそれぞれ異なる軸線上の打席の外側に張り出す状態に設置した金具の中心には螺旋構造の穴をもった部材を固定すると共に、これとは別に前記螺旋部材を貫通する状態に構成した前記螺旋穴に適合する螺旋構造のシャフトの底部を玉軸受で受け止めると同時に、前記シャフトの他の先端部には前記シャフトを回転させる為の動力を設置し、前記シャフト及び動力装置を含めてパイプ又はアングル材等によって一体化したフレーム構造状態とし、前記フレーム構造物の底部は複数の蝶番によって前記打席の接地面の台座に連結して固定した状態にする事によって、前記自由傾斜打席と前記フレーム構造物とは打席から張り出した金具中心の螺旋穴部材とシャフトを介して連結された状態となる。前記シャフトが動力装置によって回転するとシャフトの螺旋にそって前記打席に連結された螺旋穴部材を介して前記打席は上下の作動が可能となる。又前記した定点を通過して直角に交差する他の前記と同様の構造をもった装置が作動する事によって前記自由傾斜打席は前、後、左、右、自由な傾斜の作動が可能となる。又前記シャフトが構成されているフレームの底部をフレームの底巾全体の長さを支える蝶番によって支持する事によってフレームの中心に設置したシャフトは底辺に対して直交する強固な構造となり、シャフト上に前記打席が固定される事により上、下、左、右、共に遥動に干渉されない剛性の強いゴルフの練習用自由傾斜打席を提供する。
【発明の詳細な説明】
【技術分野】
【０００１】  本発明は、ゴルフ打撃練習用自由傾斜打席の利用に当り、自由傾斜打席に要求される不動の大地と同様の動きのない安定感を得る為の前記打席構造の安定化技術である。
【背景技術】
【０００２】  ゴルフの打撃練習に当り、特にアプローチショット等の場合に実際のコース等で遭遇する傾斜地での打撃の感覚を得る為の練習は一般的なインドアゴルフ練習場等に於いてはフラットなグランド条件の練習用打席が一般的であって、体験練習をする事は不可能であった。本願出願による自由傾斜打席はプレイヤーが意図するような、様々な傾斜地での打撃練習を可能にする目的をもって発案されたゴルフの自由傾斜打席に於いて特に重要な条件として前記自由傾斜打席がプレイヤーの設定した傾斜条件に於いて、自然大地に近い不動の安定性と一般的なインドアゴルフ練習場に於いて並列的に設置利用出来る機能である事が要求される点を充足しようとするものである。
【発明が解決しようとする課題】
【０００３】  不安定な傾斜地でのアプローチショットの練習を想定した場合、不自然な姿勢においての打撃練習と云う事であり、実際のプレーに於いて最も重要視される事は正確なショットであり、正確なショットの条件は好ましく安定した打撃姿勢であると云われるように、自由傾斜打席の傾斜設定時の打席台座の安定性は特に厳しいものが要求される。又一般的なゴルフ練習装置として広く利用を考える場合、現在のインドアゴルフ練習場に於いて並列的に利用しようとする場合、移動が容易である事と打席の台座の高さもより低い事が望まれる。
【課題を解決する為の手段】
【０００４】  自由傾斜打席は前記した様に、プレイヤーが意図した通りに自由な打席による傾斜を設定する為の作動動力は前記打席の下で行なう構造である事が望ましいが、前記した通りインドアゴルフ場等に於いて一般的なフラットな練習用打席に並列的に並んで設置する場合を考慮すると、傾斜打席による練習装置の高さの限界はほヾ３００ミリ以下である事が望まれると同時に、設定された傾斜状態の打席の安定がより自然大地の不動な状態である事が要求される。したがって本願に於いては打席台座の下の僅かな空間に於いての作動制御をさけて打席の外側で制御する手法を提案するものである。自由傾斜打席の傾斜作動の基本は、
【０００５】  自由傾斜打席の中心となる不動の１点を球形軸受によって支持すると同時に左右の傾斜に対しては打席の外側の左右又はどちらかの片方に、又前後の傾斜に対しては打席の前後又はどちらかの片方に傾斜打席から外側に張出す状態のアーム金具を傾斜打席に結着して取りつけた先端にはスパイラルのねじ構造の穴を持った金具を設置し
【０００６】  一方、前記傾斜打席を設置する為のベース台座には一定の長さをもった蝶番によって支持されると共にさらに長い辺をもった長方形のフレームを形成し、長方形の長辺の中心部には長辺に平行する状態に前記傾斜打席にとりつけられたスパイラルねじ金具に対応するねじ構造をもったスパイラルシャフトを設置し、前記ねじを介して傾斜打席と連結した状態とすると同時に、スパイラルシャフトは長方形フレームの底辺部分で玉軸受等によって固定し、他の一方の先端部にはスパイラルシャフトを回転させる為の動力をとりつける。
【０００７】  前記動力によってスパイラルシャフトが回転すると傾斜打席に固定してとりつけられたねじ構造の金具によってスパイラルシャフト上を移動する結果となり、動力の作動の正転や逆転によって傾斜打席は上下する事が可能となり、前後又は左右がプレイヤーの意図によって動力がスウィッチングされる事によって自由な傾斜打席を得る事が出来る。
【０００８】  又、前記スパイラルシャフトの組み込まれた長方形の構造フレームは、底辺を剛性を持たせる状態の蝶番によって傾斜打席のベース台座に連結された状態で他の支持点は傾斜打席にとりつけられたねじ構造金具によって剛性があり、同時にスパイラルシャフト上を移動する状態となる事によって、前記フレーム全体は傾斜打席の傾斜に連動する状態で傾斜打席の外側に於いて底辺の蝶番を支点として常に外側に傾斜した状態で作動が行なわれる結果となり、プレイヤーが打撃練習によってクラブヘッドの移動についてのさまたげになる事を防ぐ事が出来る。
【０００９】  本発明によるゴルフ打撃練習用の自由傾斜打席の一つの実施例を図１から図４によって説明を進める。図１は、自由傾斜打席（以下打席とする）が平坦な状態でのプレイヤーの後方向から見た全体の透視説明図であり、破線の想定線は傾斜打席の状態を表現する。図２は前記１図の平面伏図の上部からの透視図である。プレイヤーの意図する傾斜打席を形成する為には不動の球形軸受２０等によって打席２（傾斜時３及び４）は打席面の傾斜を得る為に必要な一定の一般打席グランドより高い位置を保つ必要があり、傾斜打席の必須要件となっている。ゴルフの打撃練習の最も重要な要件として、打撃行動の瞬間の打席ベースの安定度はより不動の安定度が要求される。本発明は打席ベース２の安定度を高める目的をもって前記不動の球形軸受２０を中心に形成された打席２の他の支持点をより遠い位置に於いて支える事によって打席のより強く確実な安定を得られると云う目的によって構成した構造によって中空に於ける打席の安定をより確実に達成する事が出来る。
【００１０】  プレイヤー１は打席２（傾斜時３，４）上に於いて打撃姿勢に入る場合、両足を大地１３に変えて打席２上に於いて必然的にふん張る動きをとる事となり、前記動きに対応して打席２は強力で安定した対応力が要求される。打席２の下部のせまい空間でも打席安定化の手法はあるが、３点によって支持する平面の安定度を計る為の基本的な条件として、各支持点間の距離に比例して安定する物理法則にしたがって打席２の左、右、及び前後の軸芯となる打席２の不動の中心軸２０を通過して互いに直交する線上の打席２の縁に固定し、同時に外側に傾斜する金具６の先端の中心にはねじの刻まれた穴をもって同時に球形軸受によって支持された金具７を設置し、打席２とは別にフレーム５に組み込んだ動力１１によって回転するスパイラルシャフト（前記金具７に対応するねじのスパイラルシャフト）８は長方形のフレーム５の中心に設置し、前記打席２に継がる金具７に噛合ってセットされ、フレームの下部の中心には玉軸受２２によって前記スパイラルシャフト８を固定し、フレーム５は蝶番１７によって打席２の接地ベース１８に固定された状態に於いてプレイヤー１の意図によってスウィッチングされ稼動する動力１１によってスパイラルシャフト８が回転するとスパイラルシャフト８に噛み合った金具７は前記シャフト８にそって上下自由な動きが可能となる事によって常に剛性のある自由傾斜打席２の稼動が可能となる。
【図面の簡単な説明】
【００１１】
【図１】  本発明による自由傾斜打席の平坦状態でのプレイヤーの後方向透視図
【図２】  第１図の上方向からの透視図
【図３】  傾斜打席を左右に傾斜作動させる為の支持構造の断面図
【図４】  図３の上部からの平面伏図  １  傾斜打席上のプレイヤー  ２  自由傾斜打席  ３  ２がプレイヤーの左方上り状態の予想  ４  ２がプレイヤーの左方下り状態の予想  ５  傾斜打席の傾斜稼動の為のスパイラルシャフトを納め同時に２に剛性を持たせるフレーム  ６  ２から張り出して傾斜して打席稼動の為の支持金具  ７  ６にとりつけスパイラルシャフト８に噛み合う金具  ８  左右回転によって２を傾斜させる為のスパイラルシャフト  ９  ６を２に結着させる為のボルト  １０  ６を２に結着する為のベース  １１  ８を回転させる為の動力  １２  ２のベースフレーム  １３  接地グランド  １４  ゴルフクラブシャフト  １５  ゴルフボール  １６  ゴルフクラブヘット  １７  ５をベースフレームに連結する蝶番  １８  ２のベースフレーム  １９  ２の中心軸台座シャフト  ２０  ２と１９を結ぶ球形軸受  ２１  ６のサポート金具  ２２  ８の球形軸受
【図１】
2009022708.tif 000003
【図２】
2009022708.tif 000004
【図３】
2009022708.tif 000005
【手続補正書】
【提出日】平成19年9月10日(2007.9.10)
【手続補正１】
【補正対象書類名】図面
【補正対象項目名】全図
【補正方法】変更
【補正の内容】
【図１】
2009022708.tif 000006
【図２】
2009022708.tif 000007
【図３】
2009022708.tif 000008
【図４】
2009022708.tif 000009